(57)【要約】【課題】第１のハウジングと第２のハウジングとの嵌合ラインを目立たなくすることができるハウジング取付構造及びそのハウジング取付構造を備えたハウジング構造並びにそのハウジング構造を備えた電子機器を提供すること。【解決手段】第１のハウジング１０２に対する第２のハウジング１０３の取付用の係止手段１１、１２、１３と締結手段１４、１５を備え、前記係止手段は当該ハウジングの上部両側と両側部と下部両側に設け、前記締結手段は当該ハウジングの中央上部と両側部上部に設ける。これにより、嵌合された第１及び第２のハウジングは直交三方向から押さえ込まれることになるので、第１のハウジングに対する第２のハウジングの嵌合力を向上させて隙間の発生を防止すると共に拡がりを防止し嵌合ラインを目立たなくすることができる。【選択図】図２
2008078568.tif 000002
【特許請求の範囲】
【請求項１】
第１のハウジングに対する第２のハウジングの取付用の係止手段と締結手段を備え、前記係止手段は嵌合された第１及び第２のハウジングの上部両側と両側部と下部両側に設け、前記締結手段は当該ハウジングの中央上部と両側部上部に設けたことを特徴とするハウジング取付構造。
【請求項２】
前記係止手段は、前記第２のハウジングに設けられた爪部と前記第１のハウジングに設けられた爪受け部を備え、前記ハウジング下部両側の爪部は上下方向に係止され、前記ハウジング両側部の爪部は左右方向に係止され、前記ハウジング上部両側の爪部は前後方向に係止されていることを特徴とする請求項１に記載のハウジング取付構造。
【請求項３】
前記締結手段は、ネジと前記第２のハウジングに設けられたネジ受け部を備え、上下方向に締結することを特徴とする請求項１又は２に記載のハウジング取付構造。
【請求項４】
前記第２のハウジングは、前記第１のハウジングの前面側から差し込まれて取り付けられることを特徴とする請求項１〜３の何れか一項に記載のハウジング取付構造。
【請求項５】
前記ハウジング両側部上部の締結手段により第３のハウジングを取り付けたことを特徴とする請求項１〜３の何れか一項に記載のハウジング取付構造。
【請求項６】
前記第３のハウジングの締結部は、前記ハウジング両側部上部の締結手段に対して水平に差し込まれて締結されることを特徴とする請求項５に記載のハウジング取付構造。
【請求項７】
前記第３のハウジングは前記第２のハウジングの上部に取り付けられるハウジング構造であって、
請求項５又は６に記載のハウジング取付構造を備えたことを特徴とするハウジング構造。
【請求項８】
請求項４又は７に記載のハウジング構造を備えたことを特徴とする電子機器。
【発明の詳細な説明】
【技術分野】
【０００１】
本発明は、第１のハウジングに対して第２のハウジングを取り付けるハウジング取付構造及びそのハウジング取付構造を備えたハウジング構造並びにそのハウジング構造を備えた電子機器に関する。
【背景技術】
【０００２】
一般的に、電子機器の下側ケース（ハウジング）は、上側ケース（ハウジング）とスナップフィットにより取り付けられ、ネジにより固定されて嵌合されている。このスナップフィットは、下側ケースの内面に形成された突起状の第１係合部と、上側ケースの周縁部に形成された穴を有するアーム状の第２係合部とからなる。このような構成において、第１係合部に第２係合部が嵌め込まれることにより、下側ケースが上側ケースに取り付けられる。そして、下側ケースの下方から上方に向けてネジが螺合されて下側ケースが上側ケースに嵌合される（特許文献１参照）。
【０００３】
【特許文献１】特開２００３−２３９９２０号公報
【発明の開示】
【発明が解決しようとする課題】
【０００４】
上述した下側ケースと上側ケースとの嵌合ラインを目立たなくするには、嵌合力をアップさせる必要があるが、上記構成のスナップフィットとネジでは限界がある。
【０００５】
本発明は、上記のような課題に鑑みなされたものであり、その目的は、第１のハウジングと第２のハウジングとの嵌合ラインを目立たなくすることができるハウジング取付構造及びそのハウジング取付構造を備えたハウジング構造並びにそのハウジング構造を備えた電子機器を提供することにある。
【課題を解決するための手段】
【０００６】
上記目的達成のため、本発明のハウジング取付構造では、第１のハウジングに対する第２のハウジングの取付用の係止手段と締結手段を備え、前記係止手段は嵌合された第１及び第２のハウジングの上部両側と両側部と下部両側に設け、前記締結手段は当該ハウジングの中央上部と両側部上部に設けたことを特徴としている。これにより、嵌合された第１及び第２のハウジングは直交三方向から押さえ込まれることになるので、第１のハウジングに対する第２のハウジングの嵌合力を向上させて隙間の発生を防止すると共に拡がりを防止し、嵌合ラインを目立たなくすることができる。
【０００７】
また、前記係止手段は、前記第２のハウジングに設けられた爪部と前記第１のハウジングに設けられた爪受け部を備え、前記ハウジング下部両側の爪部は上下方向に係止され、前記ハウジング両側部の爪部は左右方向に係止され、前記ハウジング上部両側の爪部は前後方向に係止されていることを特徴としている。これにより、簡易な構造とすることができる。また、前記締結手段は、ネジと前記第２のハウジングに設けられたネジ受け部を備え、上下方向に締結することを特徴としている。これにより、上方からの簡易な締結作業とすることができる。
【０００８】
上記目的達成のため、本発明のハウジング構造では、前記第２のハウジングは、前記第１のハウジングの前面側から差し込まれて取り付けられることを特徴としている。これにより、上記各作用効果を奏するハウジング構造を提供することが可能である。また、前記ハウジング両側部上部の締結手段により第３のハウジングを取り付けたことを特徴としている。これにより、第２及び第３のハウジングという２つのハウジングを嵌合力を高めて同時に取り付けることができる。また、前記第３のハウジングの締結部は、前記ハウジング両側部上部の締結手段に対して水平に差し込まれて締結されることを特徴としている。これにより、第２のハウジングを第１のハウジングに取り付けた後に第３のハウジングを取り付けてネジにより共締めすることができるので、簡易な取付作業とすることができる。
【０００９】
上記目的達成のため、本発明のハウジング構造では、前記第３のハウジングは前記第２のハウジングの上部に取り付けられるハウジング構造であって、上記各ハウジング取付構造を備えたことを特徴としている。また、上記目的達成のため、本発明の電子機器では、上記ハウジング構造を備えたことを特徴としている。これにより、上記各作用効果を奏するハウジング構造又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係るハウジング取付構造を備えた電子機器である記録装置の外観構成の全体を示す斜視図である。この記録装置はプリンタ、コピー及びスキャナの機能を有するインクジェット式複合機１００である。尚、以下の説明における左右方向、上下方向及び前後方向は、インクジェット式複合機１００を前面側から見たときの方向を示すものとする。このインクジェット式複合機１００は、全体が略直方体状のハウジング構造１０１で覆われている。そして、ハウジング構造１０１の上面における前面側には操作部１１０が配設され、前面における図示左側にはメモリカードスロット部１２０が配設され、前面における図示右側にはディスクスロット部１３０が配設されている。更に、ハウジング構造１０１の上面における背面側には給紙部１４０が配設され、前面側には排紙部１５０及びインクカートリッジ収納部１７０が配設され、上面にはスキャナ１６０が配設されている。
【００１２】
ハウジング構造１０１は、ミドルハウジング（第１のハウジング）１０２、フロントカバーハウジング（第２のハウジング）１０３、スロットハウジング（第３のハウジング）１０４、パネルハウジング１０５及びオペレーションパネル１０６に分割されている。ミドルハウジング１０２は、ロワーハウジング１０７上に配設された図示しない記録部や用紙搬送部等を覆うと共に、前面側に操作部１１０、メモリカードスロット部１２０及びディスクスロット部１３０が配設され、背面側に給紙部１４０が配設され、更に上部にスキャナ１６０が配設される略箱状に形成されている。
【００１３】
フロントカバーハウジング１０３は、ミドルハウジング１０２の前面側から差し込まれて取り付けられ、前面側に排紙部１５０及びインクカートリッジ収納部１７０が配設される垂直視断面が略コの字状に形成されている。スロットハウジング１０４は、メモリカードスロット部１２０及びディスクスロット部１３０を覆うようにミドルハウジング１０２の前面側から差し込まれて取り付けられる垂直視断面が略コの字状に形成されている。このように、前面側のハウジングがフロントカバーハウジング１０３とスロットハウジング１０４に２分割されているので、デザイン変更の対応が容易であり、例えば異なる着色や柄を施すことにより外観デザイン性を高めることができる。また、ハウジング１０１を大型化しても製造装置を大型化する必要が無く、コスト上昇を抑えることができる。
【００１４】
パネルハウジング１０５は、操作部１１０を覆うようにスロットハウジング１０４の上部に取り付けられる略平板状に形成されている。オペレーションパネル１０６は、側面がスロットハウジング１０４の縁部に当接して位置決めされ、パネルハウジング１０５を覆うように取り付けられる略平板状に形成されている。そして、ミドルハウジング１０２とフロントカバーハウジング１０３、更にはスロットハウジング１０４が、本実施形態のハウジング取付構造１０により取り付けられている。尚、このハウジング取付構造１０の詳細については後述する。
【００１５】
操作部１１０は、パネルハウジング１０５の上部中央に操作状態等を表示する液晶ディスプレイユニット１１１が装着されている。そして、この液晶ディスプレイユニット１１１の両側のオペレーションパネル１０６には、パワーをオン・オフするパワー系、用紙の頭出し等を操作したりインクのフラッシング等を操作する操作系、画像処理等を行う処理系等の複数のボタン１１２が配設されている。ユーザは、液晶ディスプレイユニット１１１を見て確認しながら各種のボタン１１２を操作することができるので、誤操作を防止することができる。
【００１６】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１７】
ディスクスロット部１３０は、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１８】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１９】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。次に、本発明の特徴的な部分であるハウジング取付構造１０について、更に図を参照して説明する。
【００２０】
図２、図４及び図６は、上記ハウジング取付構造１０を示すミドルハウジング１０２とフロントカバーハウジング１０３とスロットハウジング１０４の分解斜視図、図３、図５及び図７は、上記ハウジング取付構造１０を示すミドルハウジング１０２とフロントカバーハウジング１０３とスロットハウジング１０４の組立斜視図である。このハウジング取付構造１０は、ミドルハウジング１０２とフロントカバーハウジング１０３の前面側における図２及び図３に示す上部両側に設けられた係止手段１１と図４及び図５に示す両側部（尚、図では片側部のみを示す）に設けられた係止手段１２と図６及び図７に示す下部両側に設けられた係止手段１３を備えている。更に、ミドルハウジング１０２とフロントカバーハウジング１０３の前面側における図２及び図３に示す中央上部に設けられた締結手段１４と、ミドルハウジング１０２とフロントカバーハウジング１０３とスロットハウジング１０４の前面側における図４及び図５に示す両側部上部に設けられた締結手段１５を備えている。
【００２１】
係止手段１１は、図２に示すように、フロントカバーハウジング１０３側に設けられた爪部１６と、図２及び図３に示すように、ミドルハウジング１０２側に設けられた爪係止部１７を備えている。爪部１６は、フロントカバーハウジング１０３の前面内側上部にて後方へ突出する断面が略Ｌ字状に形成されている。爪係止部１７は、ミドルハウジング１０２の前面内側上部にて上方を向くように形成されている。
【００２２】
このような構成において、係止手段１１を係止する場合は、図２に示すように、ミドルハウジング１０２の爪係止部１７の前方にてフロントカバーハウジング１０３の爪部１６を位置合わせしてフロントカバーハウジング１０３を後方へ移動させる。そして、図３に示すように、爪係止部１７に爪部１６を係止する。
【００２３】
このように、ミドルハウジング１０２に対するフロントカバーハウジング１０３の前後方向に係止可能、即ちフロントカバーハウジング１０３をミドルハウジング１０２に対して前後に移動しないように係止可能な係止手段１１をミドルハウジング１０２とフロントカバーハウジング１０３の前面側における図２及び図３に示す上部両側に設けているので、ミドルハウジング１０２に対するフロントカバーハウジング１０３の嵌合力を向上させて前後の隙間の発生を防止すると共に前後の拡がりを防止し、嵌合ラインを目立たなくすることができる。
【００２４】
係止手段１２は、図４及び図５に示すように、フロントカバーハウジング１０３側に設けられた爪部１８と、図５に示すように、ミドルハウジング１０２側に設けられた爪係止部１９を備えている。爪部１８は、フロントカバーハウジング１０３の側面内側上部にて後方へ突出する断面が略Ｌ字状に形成されている。爪係止部１９は、ミドルハウジング１０２の側面内側上部にて内側を向くように形成されている。
【００２５】
このような構成において、係止手段１２を係止する場合は、図４に示すように、ミドルハウジング１０２の爪係止部１９の前方にてフロントカバーハウジング１０３の爪部１８を位置合わせしてフロントカバーハウジング１０３を後方へ移動させる。そして、図５に示すように、爪係止部１９に爪部１８を係止する。
【００２６】
このように、ミドルハウジング１０２に対するフロントカバーハウジング１０３の左右方向に係止可能、即ちフロントカバーハウジング１０３をミドルハウジング１０２に対して左右に移動しないように係止可能な係止手段１２をミドルハウジング１０２とフロントカバーハウジング１０３の前面側における図４及び図５に示す両側部（尚、図では片側部のみを示す）に設けているので、ミドルハウジング１０２に対するフロントカバーハウジング１０３の嵌合力を向上させて左右の隙間の発生を防止すると共に左右の拡がりを防止し、嵌合ラインを目立たなくすることができる。
【００２７】
係止手段１３は、図６及び図７に示すように、フロントカバーハウジング１０３側に設けられた爪部２０と、図６及び図７に示すように、ミドルハウジング１０２側に設けられた爪係止部２１を備えている。爪部２０は、フロントカバーハウジング１０３の前面底部にて後方へ突出する断面が略Ｌ字状の二股に形成されている。爪係止部２１は、ミドルハウジング１０２の前面底部にて下方を向くように所定間隔を空けて２つ形成されている。
【００２８】
このような構成において、係止手段１３を係止する場合は、図６に示すように、ミドルハウジング１０２の爪係止部２１の前方にてフロントカバーハウジング１０３の爪部２０を位置合わせしてフロントカバーハウジング１０３を後方へ移動させる。そして、図７に示すように、爪係止部２１に爪部２０を係止する。このとき、爪部２０は、爪係止部２１の縁部で一旦閉じた後に開くので、ミドルハウジング１０２に対するフロントカバーハウジング１０３を二股の開拡方向の力により固定することができる。
【００２９】
このように、ミドルハウジング１０２に対するフロントカバーハウジング１０３の上下方向に係止可能、即ちフロントカバーハウジング１０３をミドルハウジング１０２に対して上下に移動しないように係止可能な係止手段１３をミドルハウジング１０２とフロントカバーハウジング１０３の前面側における図６及び図７に示す下部両側に設けているので、ミドルハウジング１０２に対するフロントカバーハウジング１０３の嵌合力を向上させて上下の隙間の発生を防止すると共に上下の拡がりを防止し、嵌合ラインを目立たなくすることができる。
【００３０】
締結手段１４は、図２に示すように、フロントカバーハウジング１０３側に設けられたネジ穴部２２と、図３に示すように、ミドルハウジング１０２側に設けられたネジ受け部２３を備えている。ネジ穴部２２は、フロントカバーハウジング１０３の前面内側上部にて後方へ突出するように形成された帯状のアーム２２ａの先端にネジ穴２２ｂが上下方向に穿孔されている。ネジ受け部２３は、ミドルハウジング１０２の前面内側上部にて上方へ突出するように形成された円柱状の固定部２３ａの頂部にメネジ２３ｂが切られている。
【００３１】
このような構成において、締結手段１４を締結する場合は、図２に示すように、ミドルハウジング１０２のネジ受け部２３の前方にてフロントカバーハウジング１０３のネジ穴部２２を位置合わせしてフロントカバーハウジング１０３を後方へ移動させる。そして、図３に示すように、ネジ穴部２２のネジ穴２２ｂにネジ受け部２３のメネジ２３ｂを合わせて、図示しないネジをネジ穴部２２のネジ穴２２ｂに通して、ネジ受け部２３のメネジ２３ｂに螺合して締結する。
【００３２】
このように、ミドルハウジング１０２に対するフロントカバーハウジング１０３の上下方向に締結可能な締結手段１１をミドルハウジング１０２とフロントカバーハウジング１０３の前面側における図２及び図３に示す中央上部に設けているので、ミドルハウジング１０２に対するフロントカバーハウジング１０３の嵌合力を向上させて上下の隙間の発生を防止すると共に上下の拡がりを防止し、嵌合ラインを目立たなくすることができる。
【００３３】
締結手段１５は、図４に示すように、フロントカバーハウジング１０３側に設けられたネジ切欠き部２５と、図５に示すように、ミドルハウジング１０２側に設けられたネジ受け部２６と、スロットハウジング１０４側に設けられたネジ切欠き部２７を備えている。ネジ切欠き部２５は、フロントカバーハウジング１０３の側面内側上部にて後方へ突出するように形成された帯状のアーム２５ａの先端にネジ切欠き２５ｂが上下方向に穿孔されている。ネジ受け部２６は、ミドルハウジング１０２の側面内側上部にて上方へ突出するように形成された円柱状の固定部２６ａの頂部にメネジ２６ｂが切られている。ネジ切欠き部２７は、スロットハウジング１０４の側面上部にて後方へ突出するように形成された帯状のアーム２７ａの先端にネジ切欠き２７ｂが上下方向に穿孔されている。
【００３４】
このような構成において、締結手段１５を締結する場合は、図４に示すように、スロットハウジング１０４をミドルハウジング１０２の前方から差し込んで、スロットハウジング１０４のネジ切欠き部２７のネジ切欠き２７ｂにネジ受け部２６のメネジ２６ｂを合わせておく。そして、ミドルハウジング１０２のネジ受け部２６の前方にてフロントカバーハウジング１０３のネジ切欠き部２５を位置合わせしてフロントカバーハウジング１０３を後方へ移動させる。そして、図５に示すように、ネジ切欠き部２５のネジ切欠き２７ｂにネジ受け部２６のメネジ２６ｂを合わせて、ネジ２８をネジ切欠き部２５のネジ切欠き２５ｂとネジ切欠き部２７のネジ切欠き２７ｂに通して、ネジ受け部２６のメネジ２６ｂに螺合して締結する。
【００３５】
このように、ミドルハウジング１０２に対するフロントカバーハウジング１０３の左右方向に締結可能な締結手段１１をミドルハウジング１０２とフロントカバーハウジング１０３の前面側における図４及び図５に示す両側部上部に設けているので、ミドルハウジング１０２に対するフロントカバーハウジング１０３の嵌合力を向上させて左右の隙間の発生を防止すると共に左右の拡がりを防止し、嵌合ラインを目立たなくすることができる。また、スロットハウジング１０４をミドルハウジング１０２にフロントカバーハウジング１０３を取り付ける際にスロットハウジング１０４を共締めで取り付けているので、使用部品点数の増加を抑えることができると共に、取付作業を簡易なものとすることができる。
【００３６】
以上のように、本実施形態のハウジング取付構造１０によれば、ミドルハウジング１０２とフロントカバーハウジング１０３の前面側における図２及び図３に示す上部両側に設けられた係止手段１１と図４及び図５に示す両側部（尚、図では片側部のみを示す）に設けられた係止手段１２と図６及び図７に示す下部両側に設けられた係止手段１３を備えている。更に、ミドルハウジング１０２とフロントカバーハウジング１０３の前面側における図２及び図３に示す中央上部に設けられた締結手段１４と、ミドルハウジング１０２とフロントカバーハウジング１０３とスロットハウジング１０４の前面側における図４及び図５に示す両側部上部に設けられた締結手段１５を備えている。従って、各係止手段１１、１２、１３と締結手段１４、１５により、ミドルハウジング１０２とフロントカバーハウジング１０３を直交三方向から押さえ込むことになるので、ミドルハウジング１０２に対するフロントカバーハウジング１０３の嵌合力を向上させて嵌合ラインを目立たなくすることができる。尚、各係止手段１１、１２、１３と締結手段１４、１５の取付位置や個数については限定されるものでは無く、直交三方向に締結及び係止するように、任意の場所に任意の数設けても良い。
【産業上の利用可能性】
【００３７】
ハウジング構造を備えた記録装置であれば、例えばファクシミリ装置、コピー装置、スキャナ等であっても適用可能である。また、記録装置に限らず、パネル構造を備えた一般的な電子装置にも適用可能である。
【図面の簡単な説明】
【００３８】
【図１】本発明の一実施の形態に係るハウジング取付構造を備えた電子機器である記録装置の外観構成の全体を示す斜視図である。
【図２】図１のハウジング取付構造を示すミドルハウジングとフロントカバーハウジングとスロットハウジングの第１の分解斜視図である。
【図３】図１のハウジング取付構造を示すミドルハウジングとフロントカバーハウジングとスロットハウジングの第１の組立斜視図である。
【図４】図１のハウジング取付構造を示すミドルハウジングとフロントカバーハウジングとスロットハウジングの第２の分解斜視図である。
【図５】図１のハウジング取付構造を示すミドルハウジングとフロントカバーハウジングとスロットハウジングの第２の組立斜視図である。
【図６】図１のハウジング取付構造を示すミドルハウジングとフロントカバーハウジングとスロットハウジングの第３の分解斜視図である。
【図７】図１のハウジング取付構造を示すミドルハウジングとフロントカバーハウジングとスロットハウジングの第３の組立斜視図である。
【符号の説明】
【００３９】
１０  ハウジング取付構造、１１、１２、１３  係止手段、１４、１５  締結手段、１６、１８、２０  爪部、１７、１９、２１  爪係止部、２２  ネジ穴部、２３、２６  ネジ受け部、２８  ネジ、２５、２７  ネジ切欠き部、１００  インクジェット式複合機、１０１  ハウジング構造、１０２  ミドルハウジング、１０３  フロントカバーハウジング、１０４  スロットハウジング、１０５  パネルハウジング、１０６  オペレーションパネル、１０７  ロワーハウジング、１１０  操作部、１２０  メモリカードスロット部、１３０  ディスクスロット部、１４０  給紙部、１５０  排紙部、１６０  スキャナ、１７０  インクカートリッジ収納部
【図１】
2008078568.tif 000003
【図２】
2008078568.tif 000004
【図３】
2008078568.tif 000005
【図４】
2008078568.tif 000006
【図５】
2008078568.tif 000007
【図６】
2008078568.tif 000008
【図７】
2008078568.tif 000009